(57)【要約】  本開示は、低温やけどを生じさせにくく、そして固定部が着衣に残存しにくい温感シートを提供することを目的とする。本開示の温感シートは、以下の構成を有する。液保持性且つ液透過性の肌当接シート（７）と、液不透過性の着衣当接シート（１１）と、着衣に固定するための固定部（１３）とをその順で備える温感シート（１）であって、温感シート（１）が、ＴＲＰチャネルを活性化する温感剤と、溶媒とを含む温感組成物を含み、発熱剤を含まないことを特徴とする温感シート（１）。
2018003584.tif 000002
【特許請求の範囲】
【請求項１】
液保持性且つ液透過性の肌当接シートと、液不透過性の着衣当接シートと、着衣に固定するための固定部とをその順で備える温感シートであって、
前記温感シートが、ＴＲＰチャネルを活性化する温感剤と、溶媒とを含む温感組成物を含み、発熱剤を含まない、
ことを特徴とする、前記温感シート。
【請求項２】
前記温感剤が、ＴＲＰＶ１レセプターに対するアゴニストである、請求項１に記載の温感シート。
【請求項３】
前記肌当接シートが、前記温感組成物を含む、請求項１又は２に記載の温感シート。
【請求項４】
前記温感組成物が、前記溶媒を、５０．０〜９９．９質量％の比率で含む、請求項１〜３のいずれか一項に記載の温感シート。
【請求項５】
前記肌当接シートの通気度が、前記着衣当接シートの通気度よりも高い、請求項１〜４のいずれか一項に記載の温感シート。
【請求項６】
前記肌当接シートの熱伝導率が、前記着衣当接シートの熱伝導率よりも低い、請求項１〜５のいずれか一項に記載の温感シート。
【請求項７】
前記肌当接シートと、前記着衣当接シートとの間に、中間層をさらに含む、請求項１〜６のいずれか一項に記載の温感シート。
【請求項８】
前記中間層の通気度が、前記着衣当接シートの通気度よりも高い、請求項７に記載の温感シート。
【請求項９】
前記中間層の熱伝導率が、前記着衣当接シートの熱伝導率よりも低い、請求項７又は８に記載の温感シート。
【請求項１０】
前記温感組成物と、前記固定部とが、前記温感シートの厚さ方向に重複する位置に配置されている、請求項１〜９のいずれか一項に記載の温感シート。
【請求項１１】
前記溶媒が、水、アルコール及び油脂、並びにそれらの任意の組み合わせからなる群から選択される、請求項１〜１０のいずれか一項に記載の温感シート。
【発明の詳細な説明】
【技術分野】
【０００１】
本開示は、温感シートに関する。
【背景技術】
【０００２】
着用者の身体に温熱を付与する温熱シートが知られている。例えば、特許文献１には、片面が不織布と多孔質フィルムとをラミネートして得られる通気性複層構造物からなり、他方の面が貼付手段を有する貼付面である、水分を含有し空気の存在下で発熱する発熱組成物を収容するための袋であって、前記通気性複層構造物が、２０℃での寸法に対する５０℃における横方向の寸法変化率が正の値であること、および０．１５ｇｆｃｍ／ｃｍ2以上の圧縮エネルギーを有することを特徴とする、発熱組成物収容用袋が記載されている。
【先行技術文献】
【特許文献】
【０００３】
【特許文献１】特開２００６−２３９０１５号公報
【発明の概要】
【発明が解決しようとする課題】
【０００４】
特許文献１に記載の発熱組成物収容用袋では、着用者に温熱を付与するために、金属粉の酸化反応を利用している。従って、発熱組成物収容用袋の使用に当たり、発熱組成物収容用袋の発熱に伴い、着用者の発熱組成物収容用袋と接する部位に低温やけどを生じる恐れがあった。また、発熱組成物収容用袋の発熱及び水蒸気の発生に伴い、着用者の着衣に固定する貼付手段が軟化し、発熱組成物収容用袋の使用後、発熱組成物収容用袋を着衣から剥離して発熱組成物収容用袋を廃棄する際に、上記貼付手段が着衣に残り、上記貼付手段が着衣を汚損する場合があった。
従って、本開示は、低温やけどを生じさせにくく、そして固定部が着衣に残存しにくい温感シートを提供することを目的とする。
【課題を解決するための手段】
【０００５】
本開示者らは、液保持性且つ液透過性の肌当接シートと、液不透過性の着衣当接シートと、着衣に固定するための固定部とをその順で備える温感シートであって、上記温感シートが、ＴＲＰチャネルを活性化する温感剤と、溶媒とを含む温感組成物を含み、発熱剤を含まないことを特徴とする温感シートを見出した。
【発明の効果】
【０００６】
本開示の温感シートは、低温やけどを生じさせにくく、そして固定部が着衣に残存しにくい。
【図面の簡単な説明】
【０００７】
【図１】図１は、第１実施形態に従う温感シート１が個包装された温感シートの個包装体３の斜視図である。
【図２】図２は、第１実施形態に従う温感シート１の斜視図である。
【図３】図３は、第１実施形態に従う温感シート１の平面図である。
【図４】図４は、第１実施形態に従う温感シート１の背面図である。
【図５】図５は、第１実施形態に従う温感シート１の分解斜視図である。
【図６】図６は、第１実施形態に従う温感シート１の着用状態を説明するための図である。
【発明を実施するための形態】
【０００８】
具体的には、本開示は以下の態様に関する。
［態様１］
液保持性且つ液透過性の肌当接シートと、液不透過性の着衣当接シートと、着衣に固定するための固定部とをその順で備える温感シートであって、
上記温感シートが、ＴＲＰチャネルを活性化する温感剤と、溶媒とを含む温感組成物を含み、発熱剤を含まない、
ことを特徴とする、上記温感シート。
【０００９】
上記温感シートは、発熱剤を含まず、温感剤を含む所定の温感組成物を含むので、着用者の肌を外部から直接加熱することなく、着用者に温感を付与することができる。従って、温感シートを着用者の着衣に固定して使用した際に、着用者の肌の、温感シートに接している温感剤接触部分に低温やけどが生じにくい一方で、着用者に十分な温感を付与することができる。また、上記温感シートは、着用者の肌を外部から直接加熱することなく、着用者に温感を付与することができるので、温感シートを着用者の着衣に固定して使用した後、固定部が軟化しにくく、温感シートを廃棄する際に、固定部が着衣に残存しにくい。
【００１０】
［態様２］
上記温感剤が、ＴＲＰＶ１レセプターに対するアゴニストである、態様１に記載の温感シート。
上記温感シートでは、温感剤がＴＲＰＶ１レセプターに対するアゴニストであるため、温感シートの使用の際に、着用者が、ＴＲＰＶ１レセプターの活性化温度閾値といわれる、４３℃超の温度を感じることができ、着用者が温感をより覚えやすい。また、上記温感剤により、着用者の肌の、温感剤に接していた温感剤接触部分のＴＲＰＶ１レセプターが活性化される結果、交感神経系を介して、温感剤接触部分から熱が生じ、着用者の肌の、温感剤接触部分の温度を上昇させることができる。
【００１１】
［態様３］
上記肌当接シートが、上記温感組成物を含む、態様１又は２に記載の温感シート。
上記温感シートでは、着用者の肌に接する肌当接シートが所定の温感組成物を含むので、温感シートの使用の際に、着用者が着用後の早い段階から温感を覚えやすい。
【００１２】
［態様４］
上記温感組成物が、上記溶媒を、５０．０〜９９．９質量％の比率で含む、態様１〜３のいずれか一項に記載の温感シート。
上記温感シートでは、温感組成物が所定割合の溶媒を含むので、温感シートの使用の際に、着用者が、着用後の早い段階から、そして長時間にわたって温感を覚えやすい。
【００１３】
［態様５］
上記肌当接シートの通気度が、上記着衣当接シートの通気度よりも高い、態様１〜４のいずれか一項に記載の温感シート。
【００１４】
上記温感シートでは、肌当接シートの通気度が、着衣当接シートの通気度よりも高いので、温感組成物に含まれる溶媒が、肌当接シートを通って外部に移動するため、固定部が上記溶媒による影響を受けにくくなり、温感シートを廃棄する際に、固定部が着衣に残存しにくくなる。また、温感剤により、着用者の肌の、温感剤に接していた温感剤接触部分から熱、並びに汗等の水分を生じた場合に、当該熱及び汗等の水分が、着衣当接シートを通って固定部に到達しにくいので、固定部が上記熱及び汗等の水分による影響を受けにくくなり、温感シートを廃棄する際に、固定部が着衣に残存しにくくなる。
【００１５】
［態様６］
上記肌当接シートの熱伝導率が、上記着衣当接シートの熱伝導率よりも低い、態様１〜５のいずれか一項に記載の温感シート。
上記温感シートでは、肌当接シートの熱伝導率が、着衣当接シートの熱伝導率よりも低いので、着用者の肌の、温感剤接触部分から熱が生じた場合に、当該熱が、肌当接シートを通って、温感シートの内部、ひいては温感シートの固定部に到達しにくくなる。その結果、固定部が上記熱による影響を受けにくくなり、温感シートを廃棄する際に、固定部が着衣に残存しにくくなる。
【００１６】
［態様７］
上記肌当接シートと、上記着衣当接シートとの間に、中間層をさらに含む、態様１〜６のいずれか一項に記載の温感シート。
上記温感シートでは、肌当接シートと、着衣当接シートとの間に中間層をさらに含むので、着用者の肌の、温感剤接触部分から生じた熱及び汗等の水分が、肌当接シートを通って、温感シートの内部、ひいては温感シートの固定部に到達しにくいので、固定部が上記熱及び汗等による水分等による影響を受けにくくなり、温感シートを廃棄する際に、固定部が着衣に残存しにくくなる。
【００１７】
［態様８］
上記中間層の通気度が、上記着衣当接シートの通気度よりも高い、態様７に記載の温感シート。
上記温感シートでは、中間層の通気度が着衣当接シートの通気度よりも高いので、温感組成物に含まれる溶媒が、肌当接シートを通って外部に移動するため、固定部が上記溶媒による影響を受けにくくなり、温感シートを廃棄する際に、固定部が着衣に残存しにくくなる。また、温感剤により、着用者の肌の、温感剤に接していた温感剤接触部分から熱、並びに汗等の水分を生じた場合に、当該熱及び汗等の水分が、着衣当接シートを通って固定部に到達しにくいので、固定部が上記熱及び汗等の水分による影響を受けにくくなり、温感シートを廃棄する際に、固定部が着衣に残存しにくくなる。
【００１８】
［態様９］
上記中間層の熱伝導率が、上記着衣当接シートの熱伝導率よりも低い、態様７又は８に記載の温感シート。
上記温感シートでは、中間層の熱伝導率が着衣当接シートの熱伝導率よりも低いので、着用者の肌の、温感剤接触部分から生じた熱が、肌当接シート及び中間層を通って、温感シートの固定部に到達しにくいので、固定部が上記溶媒、水分等による影響を受けにくくなり、温感シートを廃棄する際に、固定部が着衣に残存しにくくなる。
【００１９】
［態様１０］
上記温感組成物と、上記固定部とが、上記温感シートの厚さ方向に重複する位置に配置されている、態様１〜９のいずれか一項に記載の温感シート。
上記温感シートでは、温感組成物と、固定部とが、温感シートの厚さ方向に重複する位置に配置されているので、温感組成物を着用者の肌に接触させ続けやすい一方で、温感シートの使用後、固定部が着衣に残存しにくい。
【００２０】
［態様１１］
上記溶媒が、水、アルコール及び油脂、並びにそれらの任意の組み合わせからなる群から選択される、態様１〜１０のいずれか一項に記載の温感シート。
上記温感シートでは、溶媒が所定の群から選択されるため、温感剤が、着用者の皮膚に迅速に温感を付与することができる。
【００２１】
本開示の温感シートについて、以下、詳細に説明する。
図１〜図６は、本開示の実施形態の１つ（以下、「第１実施形態」と称する）に従う温感シート１が個包装された、温感シートの個包装体３を説明するための図である。具体的には、図１は、温感シートの個包装体３の斜視図である。図２は、温感シート１の斜視図である。図３及び図４は、それぞれ、温感シート１の平面図及び背面図である。図５は、温感シート１の分解斜視図である。図６は、温感シート１の着用状態を説明するための図である。なお、以下、「温感シートの個包装体」を、単に『個包装体』と称する場合がある。
【００２２】
第１実施形態に従う温感シート１は、液保持性且つ液透過性の肌当接シート７と、中間層９と、液不透過性の着衣当接シート１１と、温感シート１を着衣に固定するための固定部１３と、固定部１３を仮固定するための剥離シート１５とをその順で備え、長手方向Ｌ、幅方向Ｗ及び厚さ方向Ｔを有する。肌当接シート７は、肌当接シート７の全面に、温感組成物（図示せず）を含む。また、肌当接シート７は、肌当接面３１と、肌非当接面３３とを有する。
【００２３】
温感シート１では、肌当接シート７と、中間層９と、液不透過性の着衣当接シート１１と、剥離シート１５とのそれぞれは、平面方向（長手方向Ｌ及び幅方向Ｗ）の外縁の形状が同一であり、肌当接シート７と、中間層９と、液不透過性の着衣当接シート１１と、剥離シート１５とが、それらの外縁が厚さ方向Ｔに重複するように積み重ねられている。
温感シート１は、長手方向Ｌの中心に、幅方向Ｗと平行に延びる折軸Ｆを備える。なお、個包装体３では、温感シート１は、折軸Ｆを基準として、肌当接シート７の肌当接面３１を内側にして折り畳まれ、包装シート５に包装されている。
【００２４】
固定部１３は、複数の固定部部分１４から構成されている。複数の固定部部分１４のそれぞれは、幅方向Ｗに延びており、温感シート１の幅方向Ｗの両端部まで達している。複数の固定部部分１４は、長手方向Ｌに所定の間隔をあけて配置されている。
剥離シート１５は、着衣当接シート１１と外縁の形状が同一であり、固定部１３（複数の固定部部分１４）の全体を覆うように配置されている。
【００２５】
図１に示されるように、温感シート１は、２つ折りされた状態で、包装シート５に包装され、個包装体３が形成されている。具体的には、個包装体３は、折軸Ｆを基準として、肌当接シート７の肌当接面３１を内側にして２つ折りされた温感シート１を、２枚の包装シート５で挟み、２枚の包装シート５の周縁部にシール部１０１を設けることにより形成されている。
【００２６】
着用者は、温感シートの個包装体３の切欠部１０３から、個包装体３を開封し、個包装体３から温感シート１を取り出し、温感シート１から剥離シート１５を剥離する。次いで、図６に示されるように、着用者は、温感シート１の固定部１３を、着衣２１、具体的にはショーツの内面に固定し、温感シート１の肌当接面３１が着用者の肌に接した状態で、温感シート１を使用する。
【００２７】
温感シート１は、図３及び図４に示されるように、温感シート１の外周縁２３から所定の距離範囲内にある領域である周縁部２５を有する。温感シート１は、周縁部２５に、エンボス部を有しない。そうすることにより、着用者が、温感シート１の着用の際、並びに温感シート１の使用中において、温感シート１の周縁部２５に硬さを感じにくく、温感シート１が、初期及び使用時の両方において、着用感に優れる。
【００２８】
温感シート１の肌当接シート７の、周縁部２５を含む全面には、温感組成物（図示せず）が塗工されている。換言すると、温感シート１は、周縁部２５に、温感組成物（図示せず）を含む。そうすることにより、温感組成物が、着用者の肌の、温感剤が接触している温感剤接触部分のＴＲＰチャネルを効率よく活性化し、着用者に温感を効率よく付与することができる。
【００２９】
温感シート１は、発熱剤を含まない。発熱剤を含む温熱シートでは、発熱剤を着用者の肌に接触させ続けることを目的とし、固定部が、発熱剤と、温熱シートの厚さ方向に重複する位置に配置されるのが一般的であり、発熱剤の影響を受け、固定部の温度が上昇し、固定部が軟化しやすい。従って、温熱シートの使用を終え、温熱シートを着衣から取り外す際に、軟化した固定部が、着衣に残りやすくなる。
一方、第１実施形態に従う温感シート１では、温感シート１自体が発熱しないので、温感シート１の固定部１３が軟化しにくく、温感シート１の使用を終え、温感シート１を着衣２１から取り外す際に、温感シート１の固定部１３が、着衣２１に残りにくい。
【００３０】
本開示の温感シートでは、温感組成物は、ＴＲＰチャネルを活性化する温感剤と、溶媒とを含む。上記温感剤としては、ＴＲＰチャネルを活性化するものであれば、特に制限されず、例えば、ＴＲＰＶ１レセプターに対するアゴニスト、ＴＲＰＶ３レセプターに対するアゴニスト等が挙げられ、ＴＲＰＶ１に対するアゴニストが好ましい。ＴＲＰＶ１レセプターは活性化温度閾値が４３℃超と高く、着用者に高い温感を付与することができるからである。
上記温感剤が活性化すべきＴＲＰチャネルとしては、ヒトのＴＲＰチャネルが挙げられる。
【００３１】
上記温感剤としては、例えば、カプシコシド、カプサイシン、カプサイシノイド類（ジヒドロカプサイシン、ノルジヒドロカプサイシン、ホモジヒドロカプサイシン、ホモカプサイシン、ノニバミド等）、カプサンチン、ニコチン酸ベンジル、ニコチン酸β−ブトキシエチル、Ｎ−アシルワニルアミド、ノナン酸バニリルアミド、多価アルコール、唐辛子末、唐辛子チンキ、唐辛子エキス、ノナン酸バニリルエーテル、バニリルアルコールアルキルエーテル誘導体（例えば、バニリルエチルエーテル、バニリルブチルエーテル、バニリルペンチルエーテル、バニリルヘキシルエーテル）、イソバニリルアルコールアルキルエーテル、エチルバニリルアルコールアルキルエーテル、ベラトリアルアルコール誘導体、置換ベンジルアルコール誘導体、置換ベンジルアルコールアルキルエーテル、バニリンプロピレングリコールアセタール、エチルバニリンプロピレングリコールアセタール、ショウガエキス、ジンジャーオイル、ジンゲロール、ジンゲロン、並びにそれらの任意の組み合わせが挙げられる。
【００３２】
上記温感剤は、着用者の安心感の観点から、植物由来の化合物であることが好ましい。
上記温感組成物は、上記温感剤を、好ましくは０．０００１〜５．０質量％、より好ましくは０．０００５〜３．０質量％、さらに好ましくは０．１〜１．０質量％、そしてさらにいっそう好ましくは０．３〜０．７質量％含む。温感剤の効果の観点からである。
【００３３】
上記溶媒としては、水、アルコール及び油脂、並びにそれらの任意の組み合わせが挙げられる。上記温感組成物は、上記溶媒を、好ましくは５０．０〜９９．９質量％、より好ましくは９０．０〜９９．９質量％の比率で含む。そうすることにより、温感シートの使用の際に、着用者が、着用後の早い段階から、そして長時間にわたって温感を覚えやすい。
【００３４】
上記アルコールとしては、メタノール、エタノール、エチレングリコール、グリセリン等の低級アルコール、カプリルアルコール、ラウリルアルコール、ミリスチルアルコール等の高級アルコール等が挙げられる。上記油脂としては、トリグリセリド等の脂肪酸エステル、ヤシ油、アマニ油等の天然油等が挙げられる。
【００３５】
上記温感組成物は、上述の温感剤及び溶媒以外に、着用者に温感を付与する効果を阻害しない範囲で、下記に示されるような、少なくとも１種の他の成分とを含むことができる。
上記少なくとも１種の他の成分としては、例えば、シリコーンオイル、シリコーン、シリコーン系レジン等が挙げられる。
上記少なくとも１種の他の成分としては、例えば、酸化防止剤、例えば、ＢＨＴ（２，６−ジ−ｔ−ブチル−ｐ−クレゾール）、ＢＨＡ（ブチル化ヒドロキシアニソール）、没食子酸プロピル等が挙げられる。
【００３６】
上記少なくとも１種の他の成分としては、例えば、ビタミン、例えば、天然ビタミン又は合成ビタミンが挙げられる。上記ビタミンとしては、例えば、水溶性ビタミン、例えば、ビタミンＢ群、例えば、ビタミンＢ1，ビタミンＢ2，ビタミンＢ3，ビタミンＢ5，ビタミンＢ6，ビタミンＢ7，ビタミンＢ9，ビタミンＢ12等、ビタミンＣが挙げられる。
上記ビタミンとしては、例えば、脂溶性ビタミン、例えば、ビタミンＡ群、ビタミンＤ群、ビタミンＥ群、およびビタミンＫ群等が挙げられる。
上記ビタミンにはまた、それらの誘導体も含まれる。
【００３７】
上記少なくとも１種の他の成分としては、例えば、アミノ酸、例えば、アラニン、アルギニン、リジン、ヒスチジン、プロリン、ヒドロキシプロリン等、並びにペプチドが挙げられる。
【００３８】
上記少なくとも１種の他の成分としては、例えば、ゼオライト、例えば、天然ゼオライト、例えば、方沸石、菱沸石、輝沸石、ナトロライト、束沸石、及びソモソナイト、並びに、合成ゼオライトが挙げられる。
上記少なくとも１種の他の成分としては、例えば、コレステロール、ヒアルロン酸、レシチン、セラミド、プラセンタ、コラーゲン、エラスチン、スクワラン、ワセリン、トレハロース等が挙げられる。
【００３９】
また、上記少なくとも１種の他の成分としては、例えば、薬剤、例えば、皮膚収斂剤、抗ニキビ剤、抗シワ剤、抗セルライト剤、美白剤、抗菌剤、抗カビ剤等が挙げられる。
上記皮膚収斂剤としては、例えば、酸化亜鉛、硫酸アルミニウム、タンニン酸等、油溶性皮膚収斂剤、例えば、油溶性ポリフェノールが挙げられる。上記油溶性ポリフェノールとしては、天然の油溶性ポリフェノール、例えば、オオバクエキス、オトギリソウエキス、オドリコソウエキス、カモミラエキス、ゴボウエキス、サルビアエキス、シナノキエキス、セイヨウボダイジュエキス、シラカバエキス、スギナエキス、セージエキス、サルビアエキス、テウチグルミエキス、ハイビスカスエキス、ビワ葉エキス、ボダイジュエキス、ホップエキス、マロニエエキス、ヨクイニンエキス等が挙げられる。
【００４０】
上記抗ニキビ剤としては、例えば、サリチル酸、過酸化ベンゾイル、レゾルシノール、イオウ、エリスロマイシン、亜鉛等が挙げられる。
上記抗シワ剤としては、例えば、乳酸、サリチル酸、サリチル酸誘導体、グリコール酸、フィチン酸、リポ酸、リソフォスファチド酸が挙げられる。
【００４１】
上記抗セルライト剤としては、例えば、キサンチン化合物、例えば、アミノフィリン、カフェイン、テオフィリン、テオブロミン等が挙げられる。
上記美白剤としては、例えば、ナイアシンアミド、コウジ酸、アルブチン、グルコサミン及び誘導体、フィトステロール誘導体、アスコルビン酸及びその誘導体、並びにクワ抽出物及び胎盤抽出物が挙げられる。
【００４２】
また、上記少なくとも１種の他の成分としては、例えば、抗炎症成分、ｐＨ調整剤、抗菌剤、保湿剤、香料、色素、染料、顔料、植物抽出エキス等が挙げられる。上記抗炎症成分としては、例えば、天然由来の抗炎症剤、例えば、ボタン、オオゴン、オトギリソウ、カモミール、甘草、モモノハ、ヨモギ、シソエキス等、合成抗炎症剤、例えば、アラントイン、グリチルリチン酸ジカリウム等が挙げられる。
上記ｐＨ調整剤としては、肌を弱酸性に保つためのもの、例えば、リンゴ酸、コハク酸、クエン酸、酒石酸、乳酸等が挙げられる。
上記顔料としては、例えば、酸化チタンが挙げられる。
【００４３】
上記温感組成物、並びに温感シートは、発熱剤を含まない。そうすることにより、温感シート自体が発熱せず、温感シートの固定部が軟化しにくく、温感シートの使用を終え、温感シートを着衣から取り外す際に、温感シートの固定部が、着衣に残りにくい。
【００４４】
上記発熱剤としては、発熱剤自体が発熱するものであれば、特に制限されず、例えば、金属粉（例えば、鉄粉）の酸化熱、酸及びアルカリの中和熱、無機塩の水和熱等の化学エネルギーを利用するものが挙げられる。
上記温感組成物、並びに温感シートは、いわゆる冷感剤、例えば、ＴＲＰＭ８レセプター又はＴＲＰＡ１レセプターに対するアゴニストを含んでもよい。
【００４５】
本開示の温感シートは、温感組成物を、温感剤の坪量が、好ましくは０．００１〜１０ｇ／ｍ2、より好ましくは０．００３〜５ｇ／ｍ2、さらに好ましくは０．０１〜２．５ｇ／ｍ2、そしてさらにいっそう好ましくは０．０５〜１．５ｇ／ｍ2となるような坪量で含む。着用者に温感を付与する観点からである。
【００４６】
本開示の温感シートが肌当接シート及び着衣当接シートの間に追加のシートを含まない場合には、上記温感組成物は肌当接シートに含まれる。本開示の温感シートが肌当接シート及び着衣当接シートの間に追加のシート、例えば、中間層を含む場合には、上記温感組成物は、追加のシートに含まれていてもよい。温感シートの使用を開始してから早期に温感を付与する観点からは、上記温感組成物は、少なくとも肌当接シートに含まれることが好ましい。
【００４７】
本開示の温感シートでは、肌当接シートの通気度が、着衣当接シートの通気度よりも、好ましくは高く、より好ましくは３００ｃｍ3／ｃｍ2／ｓ以上高く、より好ましくは５００ｃｍ3／ｃｍ2／ｓ以上高く、そしてさらに好ましくは７００ｃｍ3／ｃｍ2／ｓ以上高い。そうすることにより、温感組成物に含まれる溶媒が、肌当接シートを通って外部に移動するため、固定部が上記溶媒による影響を受けにくくなり、温感シートを廃棄する際に、固定部が着衣に残存しにくくなる。また、温感剤により、着用者の肌の、温感剤に接していた温感剤接触部分から熱を生じた場合に、温感剤接触部分から生じた熱、並びに汗等の水分が、着衣当接シートを通って固定部に到達しにくいので、固定部が熱及び汗等の水分による影響を受けにくくなり、温感シートを廃棄する際に、固定部が着衣に残存しにくくなる。
【００４８】
上記肌当接シートは、好ましくは３００〜２，０００ｃｍ3／ｃｍ2／ｓ、より好ましくは５００〜１，５００ｃｍ3／ｃｍ2／ｓ、そしてさらに好ましくは７００〜１，３００ｃｍ3／ｃｍ2／ｓの通気度を有する。温感組成物に含まれる溶媒を、肌当接シートから排出させる観点からである。
上記着衣当接シートは、好ましくは０〜５００ｃｍ3／ｃｍ2／ｓ、より好ましくは０〜３００ｃｍ3／ｃｍ2／ｓ、そしてさらに好ましくは０〜５０ｃｍ3／ｃｍ2／ｓの通気度を有する。温感組成物に含まれる溶媒、並びに着用者の肌の温感剤接触部分から生じた熱及び汗等の水分を、固定部に到達させにくくする観点からである。
【００４９】
なお、本明細書では、通気度は、カトーテック株式会社のＫＥＳ−Ｆ８−ＡＰ１通気性試験器を用いて、以下の通りに測定される。
（１）ＫＥＳ−Ｆ８−ＡＰ１通気性試験器及びサンプルを、恒温恒湿室（温度：２５±５℃，相対湿度：６５±５％）で２４時間静置する。
（２）上記サンプルの通気抵抗値を、ピストン速度：２ｃｍ／秒で測定する。
（３）上述の測定を、異なるサンプルで５回繰り返し、その平均値を、サンプルの通気抵抗値Ｒ（ｋＰａ・ｓ／ｍ）として採用する。
（４）通気抵抗値Ｒを、下記計算式：
ＡＰ（ｃｍ3／ｃｍ2／ｓ）＝１２．５／Ｒ
に従って、通気度ＡＰ（ｃｍ3／ｃｍ2／ｓ）に換算する。
【００５０】
本開示の温感シートが、肌当接シートと着衣当接シートとの間に中間層をさらに含む場合には、中間層の通気度が着衣当接シートの通気度よりも、好ましくは高く、より好ましくは３００ｃｍ3／ｃｍ2／ｓ以上高く、より好ましくは５００ｃｍ3／ｃｍ2／ｓ以上高く、そしてさらに好ましくは７００ｃｍ3／ｃｍ2／ｓ以上高い。そうすることにより、温感組成物に含まれる溶媒が、肌当接シートを通って外部に移動するため、固定部が上記溶媒による影響を受けにくくなり、温感シートを廃棄する際に、固定部が着衣に残存しにくくなる。また、温感剤により、着用者の、温感剤に接していた温感剤接触部分が熱を生じた場合に、当該熱及び汗等の水分が、着衣当接シートを通って固定部に到達しにくいので、固定部が上記熱及び汗等の水分による影響を受けにくくなり、温感シートを廃棄する際に、固定部が着衣に残存しにくくなる。
【００５１】
上記中間層は、好ましくは５０〜２，０００ｃｍ3／ｃｍ2／ｓ、より好ましくは１００〜１，５００ｍ3／ｍ2／分、そしてさらに好ましくは１５０〜１，３００ｍ3／ｍ2／分の通気度を有する。温感組成物に含まれる溶媒、並びに温感剤に接していた温感剤接触部分から生じた熱を、肌当接シートから排出させる観点からである。
【００５２】
本開示の温感シートでは、肌当接シートの熱伝導率が、着衣当接シートの熱伝導率よりも低いことが好ましい。そうすることにより、着用者の肌の、温感剤接触部分から生じた熱が、肌当接シートを通って、温感シートの内部、ひいては温感シートの固定部に到達しにくいので、固定部が上記溶媒、水分等による影響を受けにくくなり、温感シートを廃棄する際に、固定部が着衣に残存しにくくなる。
【００５３】
なお、本明細書では、熱伝導率は、定常法の一種である、温度傾斜法により測定される。
具体的には、サンプルの一方の面をＳＵＳ製の棒で加熱し、サンプルの他方の面をＣｕ製の棒で冷却し、サンプルの厚さ方向に定常状態の温度勾配を設け、移動する熱量を、温度差で除することにより熱伝導率を算出する。
【００５４】
本開示の温感シートが、肌当接シートと着衣当接シートとの間に、追加のシートとして中間層をさらに含む場合には、中間層の熱伝導率が着衣当接シートの熱伝導率よりも低いことが好ましい。そうすることにより、着用者の肌の、温感剤接触部分から熱を生じた場合に、肌当接シートを通って、温感シートの内部、ひいては温感シートの固定部に到達しにくいので、固定部が上記溶媒、水分等による影響を受けにくくなり、温感シートを廃棄する際に、固定部が着衣に残存しにくくなる。
【００５５】
本開示の温感シートにおいて、肌当接シートの素材としては、液保持性及び液透過性、好ましくは温感組成物に対する液透過性を有するものであれば特に制限されず、例えば、布帛、例えば、不織布、織布、編物等が挙げられ、製法の観点から不織布が好ましい。
上記不織布としては、例えば、エアレイドパルプ、エアスルー不織布、スパンボンド不織布、ポイントボンド不織布、スパンレース不織布、ニードルパンチ不織布、メルトブローン不織布、及びこれらの組み合わせ（例えば、ＳＭＳ等）等が挙げられる。
【００５６】
上記不織布を構成する繊維としては、例えば、天然繊維、合成繊維、及び半合成繊維が挙げられる。上記天然繊維としては、パルプ繊維及び再生セルロース繊維が挙げられる。
上記再生セルロース繊維としては、レーヨン繊維、例えば、ビスコースから得られるビスコースレーヨン，ポリノジック及びモダール、セルロースの銅アンモニア塩溶液から得られる銅アンモニアレーヨン繊維（「キュプラ」とも称される）；有機化合物及び水の混合溶液である有機溶剤を用いた有機溶剤紡糸法によって得られ、セルロース誘導体を経ないリヨセル及びテンセル等が挙げられる。
上記半合成繊維としては、半合成セルロース繊維、例えば、アセテート繊維、例えば、トリアセテート繊維及びジアセテート繊維が挙げられる。
【００５７】
上記合成繊維としては、例えば、熱融着性繊維、例えば、ポリオレフィン系ポリマー、例えば、ポリエチレン若しくはポリプロピレン；ポリエステル系ポリマー、例えば、テレフタレート系ポリマー、例えば、ポリエチレンテレフタレート（ＰＥＴ），ポリブチレンテレフタレート，ポリペンチレンテレフタレート；ポリアミド系ポリマー、例えば、ナイロン６若しくはナイロン６，６；アクリル系ポリマー；ポリアクリロニトリル系ポリマー；又はそれらの変性物、あるいはそれらの組み合わせ等から形成された繊維が挙げられる。
【００５８】
上記肌当接シートは、好ましくは１０〜１００ｇ／ｍ2、そしてより好ましくは２０〜５０ｇ／ｍ2の坪量を有する。
上記肌当接シートは、その肌当接面に粘着性を有しない、例えば、粘着剤を有しないことが好ましい。
【００５９】
本開示の温感シートにおいて、着衣当接シートの素材としては、液不透過性を有するものであれば特に制限されず、例えば、フィルム、例えば、ポリエチレン、ポリプロピレン等のフィルム、通気性を有する樹脂フィルム、スパンボンド又はスパンレース等の不織布に通気性を有する樹脂フィルムを接合したもの、ＳＭＳ等の複層不織布等が挙げられる。
上記着衣当接シートは、好ましくは１０〜５０ｇ／ｍ2、そしてより好ましくは１５〜３０ｇ／ｍ2の坪量を有する。
【００６０】
本開示の温感シートにおいて、温感シートが、肌当接シートと着衣当接シートとの間に、追加のシートとして中間層をさらに含む場合には、中間層は、シート、又は衛材分野における吸収体であることができる。
上記中間層がシート、すなわち、中間シートである場合には、中間シートの素材としては、例えば、布帛、例えば、不織布、織布、編物等が挙げられる。上記中間シートの素材は、セルロース系繊維から構成される布帛、例えば、不織布、織布、編物等であることが好ましく、温感組成物を保持する観点からは、パルプ繊維から構成されるティッシュ、エアレイドパルプ等であることがより好ましい。上記中間シートは、高分子吸収剤を含まないことが好ましい。
【００６１】
上記中間層が吸収体である場合には、上記吸収体としては、コアラップが、パルプ繊維及び高分子吸収剤を含む吸収コアを覆っているもの、コアラップが、高分子吸収剤を含む吸収コア又は高分子吸収剤から成る吸収コアを覆っているもの等が挙げられる。上記コアラップとしては、上述の中間シートが挙げられる。
上記中間層は、好ましくは１０〜２００ｇ／ｍ2、そしてより好ましくは１５〜１５０ｇ／ｍ2の坪量を有する。
【００６２】
上記中間層が高分子吸収剤を含む場合には、高分子吸収剤が温感組成物の温感剤、溶媒、特に水を吸収し、温感組成物が一度に肌へ作用することを防ぎ、長時間、安定的に、温感剤の効果を発揮することができる。
【００６３】
本開示の温感シートにおいて、固定部としては、ホットメルト接着剤、例えば、例えば、スチレン−エチレン−ブタジエン−スチレン（ＳＥＢＳ）、スチレン−ブタジエン−スチレン（ＳＢＳ）、スチレン−イソプレン−スチレン（ＳＩＳ）等のゴム系を主体とした、又は直鎖状低密度ポリエチレン等のオレフィン系を主体とした感圧型接着剤又は感熱型接着剤；水溶性高分子（例えば、ポリビニルアルコール、カルボキシルメチルセルロース、ゼラチン等）又は水膨潤性高分子（例えば、ポリビニルアセテート、ポリアクリル酸ナトリウム等）からなる感水性接着剤等が挙げられる。
【００６４】
第１実施形態では、肌当接シート７と、中間層９と、液不透過性の着衣当接シート１１と、剥離シート１５とのそれぞれが、平面方向（長手方向Ｌ及び幅方向Ｗ）の外縁の形状が同一であったが、本開示の温感シートでは、肌当接シートと、中間層と、液不透過性の着衣当接シートと、剥離シート１５とのそれぞれは、異なる外縁の形状を有していてもよい。
【００６５】
本開示の温感シートは、包装シートで包装されていることが好ましい。具体的には、本開示の温感シートは、一又は複数の温感シートが包装シートで包装された包装体であることが好ましく、そして１つの温感シートが包装シートで包装された個包装体であることがより好ましい。
【００６６】
上記包装シートの素材としては、例えば、ポリオレフィン系ポリマー、例えば、ポリエチレン及びポリプロピレンが挙げられる。上記包装シートは、上記個包装体の気密性を高める観点から、気密層を含むことが好ましく、そして当該気密層の素材としては、例えば、エチレンビニルアルコールコポリマー、塩化ビニリデン系ポリマー、例えば、塩化ビニリデンメチルアクリレートコポリマー、ポリビニルアルコール、ナイロン、例えば、ナイロン６、アルミ箔、基材フィルム（ポリエチレンテレフタレート等）上にアルミナ、シリカ等が蒸着されたものが挙げられる。
【００６７】
本開示の温感シートは、液不透過性の着衣当接シートの着衣当接面に、着衣に固定するための固定部を備え、そして上記固定部を着衣の内面に固定して使用する、着衣固定タイプである。上記着衣としては、着用者の肌に直接接する部分を有するものであれば特に制限されず、着用者にフィットして用いられるものが挙げられる。上記着衣としては、例えば、下着（例えば、ショーツ、シャツ、ブラジャー等）、上着（例えば、上衣、下衣）、靴下、手袋、マフラー、フェイスマスク、アイマスク等が挙げられる。
【００６８】
本開示の温感シートが温感を付与しうる部位としては、特に制限されず、例えば、頭（例えば、顔部、例えば、眼部）、首、上肢（例えば、胸部、腹部、鼠径部、背中部、腰部、上腕部、前腕部、手部）、下肢（例えば、大腿部、下腿部、足部）等が挙げられる。
【実施例】
【００６９】
以下、例を挙げて本開示を説明するが、本開示はこれらの例に限定されるものではない。
［製造例１］
第１実施形態に従う温感シートＮｏ．１を製造した。具体的には、肌当接シートとしての、エアスルー不織布（坪量：３０ｇ／ｍ2）と、中間層としての、エアレイドパルプ（坪量：１００ｇ／ｍ2）と、着衣当接シートとしての、ポリエチレンフィルム（坪量：２４ｇ／ｍ2）を、ホットメルト接着剤と間に挟んで接合し、次いで、温感組成物として、バニリルブチルエーテルを０．３質量％を含む水溶液を、肌当接シートの全体に、バニリルブチルエーテルの坪量が１．０ｇ／ｍ2となるように塗工することにより、温感シートＮｏ．１を製造した。【００７０】
［実施例１及び比較例１］
温感シートＮｏ．１と、温熱シートＮｏ．１とを、複数の被験者に着用してもらったところ、温感シートＮｏ．１は、温熱シートＮｏ．１と比較して軟らかく、着用感に優れるとの回答があった。また、温感シートＮｏ．１は、温感に優れるとの回答を得た。
【符号の説明】
【００７１】
１    温感シート
３    個包装体
５    包装シート
７    肌当接シート
９    中間層
１１    着衣当接シート
１３    固定部
１４    固定部部分
１５    剥離シート
２１    着衣
２３    外周縁
２５    周縁部
３１    肌当接面
３３    肌非当接面
１０１    シール部
１０３    切欠部
Ｌ    長手方向
Ｗ    幅方向
Ｔ    厚さ方向
Ｆ    折軸
【図１】
2018003584.tif 000003
【図２】
2018003584.tif 000004
【図３】
2018003584.tif 000005
【図４】
2018003584.tif 000006
【図５】
2018003584.tif 000007
【図６】
2018003584.tif 000008
【国際調査報告】
2018003584.tif 000009
2018003584.tif 000010
2018003584.tif 000011
2018003584.tif 000012